【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
記録媒体にデータの記録を行う記録装置と接続可能な印刷装置であって、
前記記録装置と接続されている場合に、記録媒体に記録可能なデータに関する属性情報を該記録装置より取得する取得手段と、
前記記録媒体の印刷可能領域に、前記属性情報を利用した印刷を行う印刷手段と、
前記記録媒体から、該記録媒体を個体識別可能な識別子を読み取る読取手段と、
前記属性情報と、前記識別子とを対応づけて管理する管理手段と
を備えることを特徴とする印刷装置。
【請求項２】
前記記録装置より、前記管理手段において第１の識別子と対応づけて管理されている第１の属性情報の送信要求を受け付ける要求受付手段と、
前記管理手段における前記第１の属性情報の有無を判定する判定手段と、
前記判定手段により前記第１の属性情報があると判定された場合に、該第１の属性情報を前記記録装置に送信する送信手段と
を更に備えることを特徴とする請求項１に記載の印刷装置。
【請求項３】
前記送信手段は、前記判定手段により前記第１の属性情報がないと判定された場合には、該第１の属性情報がない旨の通知を前記記録装置に送信することを特徴とする請求項２に記載の印刷装置。
【請求項４】
前記読取手段は、前記記録媒体が前記識別子を有するか否かを判定する識別子有無判定手段を備え、
前記識別子有無判定手段により前記記録媒体が前記識別子を有しないと判定された場合に、前記印刷手段は該識別子を前記記録媒体に印刷することを特徴とする請求項１乃至３のいずれか１項に記載の印刷装置。
【請求項５】
前記印刷手段は、
印刷用のテンプレートデータを格納する格納手段と、
前記テンプレートデータと、前記属性情報とを利用して印刷用データを生成するデータ生成手段とを備え、
前記印刷手段は前記印刷用データにより前記印刷可能領域への印刷を行うことを特徴とする請求項１乃至４のいずれか１項に記載の印刷装置。
【請求項６】
記録媒体の印刷可能領域に印刷を行う印刷装置と接続可能な、該記録媒体にデータの記録を行う記録装置であって、
データを格納するデータ格納手段と、
前記印刷装置が接続されている場合に、該印刷装置から記録媒体に記録するデータに関する属性情報の送信要求を受け付ける送信要求受付手段と、
前記送信要求に応じて、前記データ格納手段内に格納された、前記記録媒体に記録可能なデータを探索する探索手段と、
前記探索手段により探索された前記記録可能なデータに関する属性情報を、前記印刷装置に送信する送信手段と、
を備えることを特徴とする記録装置。
【請求項７】
前記探索手段は、前記データ格納手段に格納されたデータを前記記録可能なデータとすることを特徴とする請求項６に記載の記録装置。
【請求項８】
前記探索手段は、前記データ格納手段に格納されたデータの中でユーザから選択を受け付けたデータを、前記記録可能なデータとすることを特徴とする請求項６に記載の記録装置。
【請求項９】
前記探索手段は、前記データ格納手段に格納されたデータの中で所定の条件を満たすデータを、前記記録可能なデータとすることを特徴とする請求項６に記載の記録装置。
【請求項１０】
接続された前記印刷装置において、記録媒体に記録可能なデータに関する属性情報と、前記記録媒体に与えられ該記録媒体を個体識別可能な識別子とが対応づけて管理されている場合に、
前記記録装置は更に、
記録媒体から第１の識別子を読み取る読取手段と、
前記第１の識別子と対応づけられて管理されている第１の属性情報の送信を、前記印刷装置に対して要求する送信要求手段と、
前記印刷装置より、前記要求に応じて前記第１の属性情報を受信した場合に、前記データ格納手段に格納されたデータのうち、受信した前記第１の属性情報に対応するデータを取得する取得手段と、
取得された前記データを前記記録媒体に記録する記録手段と
を備えることを特徴とする請求項６乃至９のいずれか１項に記載の記録装置。
【請求項１１】
前記印刷装置より、前記第１の識別子に対応する前記第１の属性情報が管理されていない旨の通知を受信した場合に、
前記記録手段は、前記データ格納手段に格納されたデータの中で、ユーザから選択を受け付けたデータを前記記録媒体に記録することを特徴とする請求項１０に記載の記録装置。
【請求項１２】
前記データ格納手段は、前記記録装置と接続されたカムコーダであることを特徴とする請求項６乃至１１のいずれか１項に記載の記録装置。
【請求項１３】
前記読取手段は、ユーザからのデータ記録の開始指示に応じて、前記記録媒体から前記識別子を読み取ることを特徴とする請求項１０又は１１に記載の記録装置。
【請求項１４】
前記記録媒体の前記記録装置における装填を検知する検知手段を更に備え、
前記読取手段は、前記検知手段による装填の検知に応じて、前記記録媒体から前記識別子を読み取ることを特徴とする請求項１０又は１１に記載の記録装置。
【請求項１５】
前記記録媒体はディスク状記録媒体であることを特徴とする請求項１乃至１４のいずれか１項に記載の装置。
【請求項１６】
前記属性情報には、少なくともデータ名、データ種別、データ生成日時、撮影日時、撮影モード、シーン抽出画像及びＥＰＧデータのいずれかが含まれることを特徴とする請求項１乃至１５のいずれか１項に記載の装置。
【請求項１７】
記録媒体にデータの記録を行う記録装置と接続可能な印刷装置の制御方法であって、
前記印刷装置が前記記録装置と接続されている場合に、記録媒体に記録可能なデータに関する属性情報を該記録装置より取得する取得工程と、
前記記録媒体の印刷可能領域に、前記属性情報を利用した印刷を行う印刷工程と、
前記記録媒体から、該記録媒体を個体識別可能な識別子を読み取る読取工程と、
前記属性情報と、前記識別子とを対応づけて管理する管理工程と
を備えることを特徴とする印刷装置の制御方法。
【請求項１８】
記録媒体の印刷可能領域に印刷を行う印刷装置と接続可能な、該記録媒体にデータの記録を行う記録装置の制御方法であって、
前記記録装置に前記印刷装置が接続されている場合に、該印刷装置から記録媒体に記録するデータに関する属性情報の送信要求を受け付ける送信要求受付工程と、
前記送信要求に応じて、データを格納するデータ格納部内に格納された、前記記録媒体に記録可能なデータを探索する探索工程と、
前記探索工程において探索された前記記録可能なデータに関する属性情報を、前記印刷装置に送信する送信工程と、
を備えることを特徴とする記録装置の制御方法。
【請求項１９】
接続された前記印刷装置において、記録媒体に記録可能なデータに関する属性情報と、前記記録媒体に与えられ該記録媒体を個体識別可能な識別子とが対応づけて管理されている場合に、
前記方法は更に、
記録媒体から第１の識別子を読み取る読取工程と、
前記第１の識別子と対応づけられて管理されている第１の属性情報の送信を、前記印刷装置に対して要求する送信要求工程と、
前記印刷装置より、前記要求に応じて前記第１の属性情報を受信した場合に、前記データ格納部に格納されたデータのうち、受信した前記第１の属性情報に対応するデータを取得する取得工程と、
取得された前記データを前記記録媒体に記録する記録工程と
を備えることを特徴とする請求項１８に記載の記録装置の制御方法。
【請求項２０】
コンピュータを請求項１乃至１６のいずれか１項に記載の装置として機能させるためのコンピュータプログラム。
【請求項２１】
請求項２０に記載のコンピュータプログラムを格納したコンピュータで読み取り可能な記憶媒体。